(57)【要約】  廃水処理用の電気化学セルは、触媒被覆膜と、触媒被覆膜の各面に配置された開孔メッシュと、各開孔メッシュに隣接して配置された圧縮フレームとを含む。各圧縮フレームは、フレームの外周で区切られた領域内に広がる圧縮アームを有し、圧縮アーム、開孔メッシュおよび触媒被覆膜を通って突き出す留め具を介して、均一な圧縮力を加える。各開孔メッシュは、平坦面およびエンボス面を備える。エンボス面は、開孔メッシュの穴の周りのエンボス領域と、組立後のセルにおいて圧縮フレームの圧縮アームに隣接して配置される横断エンボス領域と、開孔メッシュの外周に沿った周辺エンボス領域とを含むことができる。エンボス面は、電気回路に対する改善された保護を提供する。【選択図】図１
2020517420.tif 000002
【特許請求の範囲】
【請求項１】
廃水処理用の電気化学セルであって、
ａ．固体高分子電解質膜と、
ｂ．前記固体高分子電解質膜の第１の面に隣接するアノード触媒層、および前記固体高分子電解質膜の第１の面と反対側の第２の面に隣接するカソード触媒層と、
ｃ．前記アノード触媒層に隣接する第１の開孔メッシュ、および前記カソード触媒層に隣接する第２の開孔メッシュと、
ｄ．前記第１の開孔メッシュに隣接する第１の圧縮フレーム、および前記第２の開孔メッシュに隣接する第２の圧縮フレームであって、各圧縮フレームが、フレームの外周で区切られた領域内に広がる圧縮アームを有し、それら圧縮アームが接続部位で互いに連結されている、第１および第２の圧縮フレームと、
ｅ．前記第１および第２の圧縮フレームの圧縮アームの接続部位に設けられた穴と、前記第１および第２の開孔メッシュに設けられた穴と、前記固体高分子電解質膜およびアノード触媒層およびカソード触媒層とを通って突き出る留め具とを備え、
前記留め具が、２つの圧縮フレーム間の固体高分子電解質膜、触媒層および開孔メッシュを圧縮する力を提供し、前記第１の開孔メッシュおよび第２の開孔メッシュの各々が、平坦面と、この平坦面から隆起したエンボス面とを含むことを特徴とする電気化学セル。
【請求項２】
請求項１に記載の電気化学セルにおいて、
前記第１の開孔メッシュおよび前記第２の開孔メッシュの各エンボス面がエンボス領域を含み、各エンボス領域が、開孔メッシュに設けられた穴を取り囲むことを特徴とする電気化学セル。
【請求項３】
請求項２に記載の電気化学セルにおいて、
前記開孔メッシュの穴を取り囲むエンボス領域が、隆起した平坦領域と、前記隆起した平坦領域を前記開孔メッシュの平坦面に接続する傾斜領域とを含むことを特徴とする電気化学セル。
【請求項４】
請求項３に記載の電気化学セルにおいて、
前記第１の開孔メッシュの穴を取り囲むエンボス領域と前記アノード触媒層との間に配置されるスペーサ、および／または前記第２の開孔メッシュの穴を取り囲むエンボス領域と前記カソード触媒層との間に配置されるスペーサをさらに含むことを特徴とする電気化学セル。
【請求項５】
請求項２に記載の電気化学セルにおいて、
前記第１の開孔メッシュおよび前記第２の開孔メッシュの各エンボス面が、横断エンボス領域をさらに含み、各横断エンボス領域が、穴をそれぞれ取り囲む２つのエンボス領域を接続し、かつ組立後の電気化学セルにおいて圧縮アームに隣接して配置されることを特徴とする電気化学セル。
【請求項６】
請求項５に記載の電気化学セルにおいて、
前記開孔メッシュの各横断エンボス領域が、隆起した平坦領域と、前記隆起した平坦領域を前記開孔メッシュの平坦面に接続する傾斜領域とを含むことを特徴とする電気化学セル。
【請求項７】
請求項２または５に記載の電気化学セルにおいて、
前記第１の開孔メッシュおよび前記第２の開孔メッシュの各エンボス面が、開孔メッシュの外周に沿ってその縁部に配置される周辺エンボス領域をさらに含み、この周辺エンボス領域が、隆起した平坦領域と、前記隆起した平坦領域を前記開孔メッシュの平坦面に接続する傾斜領域とを含むことを特徴とする電気化学セル。
【請求項８】
請求項１に記載の電気化学セルにおいて、
前記固体高分子電解質膜には、前記留め具の貫通を可能にする穴が設けられていることを特徴とする電気化学セル。
【請求項９】
請求項８に記載の電気化学セルにおいて、
前記開孔メッシュの穴が、固体高分子膜の穴および／または圧縮アームの穴よりも大きいことを特徴とする電気化学セル。
【請求項１０】
請求項１に記載の電気化学セルにおいて、
前記第１および第２の開孔メッシュの材料の弾力性と、前記留め具によってアセンブリに加えられる圧縮力と、前記第１および第２の開孔メッシュの厚さとに基づいて、前記エンボス面の寸法が設定されていることを特徴とする電気化学セル。
【請求項１１】
請求項１に記載の電気化学セルにおいて、
前記第１の圧縮フレームが、フレームの一側に第１の周辺領域を備え、前記第２の圧縮フレームが、フレームの一側に第２の周辺領域を備え、各周辺領域には、少なくとも１つの穴が設けられ、組立後の電気化学セルにおいて、前記第１の周辺領域が、前記第２の周辺領域とは反対方向に延び、各周辺領域が、反対側の圧縮フレームを越えて延びることを特徴とする電気化学セル。
【請求項１２】
請求項４に記載の電気化学セルにおいて、
前記スペーサが、ゴムにより形成されていることを特徴とする電気化学セル。
【請求項１３】
請求項１に記載の電気化学セルにおいて、
前記アノード触媒層が、前記固体高分子電解質膜の一方の面上に置かれ、前記カソード触媒層が、前記固体高分子電解質膜の反対側の面上に置かれていることを特徴とする電気化学セル。
【請求項１４】
請求項１に記載の電気化学セルにおいて、
前記アノード触媒層が、前記固体高分子電解質膜の第１の面上に置かれ、前記カソード触媒層が、前記固体高分子電解質膜の第２の面を向く第２の開孔メッシュの面上に置かれていることを特徴とする電気化学セル。
【請求項１５】
請求項１に記載の電気化学セルにおいて、
前記カソード触媒層が、前記固体高分子電解質膜の第２の面上に置かれ、前記アノード触媒層が、前記固体高分子電解質膜の第１の面を向く第１の開孔メッシュの面上に置かれていることを特徴とする電気化学セル。
【請求項１６】
請求項１に記載の電気化学セルにおいて、
前記アノード触媒層が、前記固体高分子膜の第１の面を向く前記第１の開孔メッシュの面上に置かれ、前記カソード触媒層が、前記固体高分子膜の第２の面を向く前記第２の開孔メッシュの面上に置かれていることを特徴とする電気化学セル。
【請求項１７】
請求項１に記載の電気化学セルにおいて、
前記固体高分子電解質膜が周辺部分を有し、この周辺部分が、触媒層を越えて延びるとともに、第１および第２の圧縮フレームの間に突き出して２つのフレーム間を電気的に絶縁することを特徴とする電気化学セル。
【請求項１８】
請求項１に記載の電気化学セルにおいて、
前記留め具が、非導電性材料により形成されていることを特徴とする電気化学セル。
【請求項１９】
請求項１に記載の電気化学セルにおいて、
前記圧縮フレームが、導電性材料により形成されていることを特徴とする電気化学セル。
【請求項２０】
請求項１に記載の電気化学セルにおいて、
前記開孔メッシュが、導電性材料により形成されていることを特徴とする電気化学セル。
【請求項２１】
請求項２０に記載の電気化学セルにおいて、
前記開孔メッシュが、金属材料またはセラミック材料により形成されていることを特徴とする電気化学セル。
【請求項２２】
請求項１に記載の電気化学セルにおいて、
前記固体高分子電解質膜がアニオン固体高分子電解質であることを特徴とする電気化学セル。
【請求項２３】
請求項１に記載の電気化学セルにおいて、
前記固体高分子電解質膜がカチオン固体高分子電解質であることを特徴とする電気化学セル。
【請求項２４】
請求項１に記載の電気化学セルを少なくとも１つ含む、廃水処理用の電気化学セルのスタック。
【請求項２５】
請求項２４に記載のスタックにおいて、
前記電気化学セルが少なくとも１本のロッドを介して接続され、２つの隣接する電気化学セル間に空間を形成するように配置され、前記空間が電気化学セル間で生成ガスの流れを可能にすることを特徴とするスタック。
【請求項２６】
請求項２４に記載のスタックにおいて、
１つの電気化学セルのアノード側が、スタック内の隣接する電気化学セルのアノード側を向いていることを特徴とするスタック。
【請求項２７】
請求項２４に記載のスタックにおいて、
１つの電気化学セルのアノード側が、スタック内の隣接する電気化学セルのカソード側を向いていることを特徴とするスタック。
【請求項２８】
廃水処理用のシステムであって、
処理される廃水を含む反応器タンク内に入れられた請求項２４に記載の電気化学セルの少なくとも１つのスタックを含むことを特徴とするシステム。
【請求項２９】
電気化学セルの少なくとも１つのスタックを含む廃水処理用のシステムであって、
各スタックが、反応器タンク内に入れられた請求項１１に記載の少なくとも１つの電気化学セルを含み、
スタック内の電気化学セルの圧縮フレームの周辺領域が、前記反応器タンクの対向する壁に設けられたスロット内に位置することにより、両側に隣接して配置される電気化学セルから予め設定された距離で電気化学セルが配置され、それにより、隣接する電気化学セル間に空間が形成されて、前記空間が電気化学セル間で生成ガスの流れを可能にすることを特徴とするシステム。
【請求項３０】
廃水を処理する方法であって、
ａ．請求項１に記載の少なくとも１つの電気化学セルを提供するステップであって、電気化学セルが、処理される廃水を含む反応器タンク内に入れられる、ステップと、
ｂ．電気化学セルに電圧を印加するステップと、
ｃ．電気化学セルを予め設定された電流密度で動作させ、それにより廃水中の汚染物質を分解するステップとを含み、
廃水が、圧縮フレームの圧縮アームの間および開孔メッシュを通って流れて、触媒層に到達し、廃水中の汚染物質を分解する反応を生じることを特徴とする方法。
【請求項３１】
請求項３０に記載の方法において、
前記電気化学セルに約１．３〜約１０Ｖの電圧を印加するステップを含むことを特徴とする方法。
【請求項３２】
請求項３０に記載の方法において、
約０．０５〜約１．０Ａ／ｃｍ２の動作電流密度で電気化学セルを動作させるステップを含むことを特徴とする方法。
【請求項３３】
廃水処理用の電気化学セルを組み立てる方法であって、
ａ．固体高分子電解質膜と、前記固体高分子電解質膜の第１の面に隣接するアノード触媒層と、前記固体高分子電解質膜の第１の面と反対側の第２の面に隣接するカソード触媒層とを提供するステップと、
ｂ．前記アノード触媒層に隣接する第１の開孔メッシュと、前記カソード触媒層に隣接する第２の開孔メッシュとを配置するステップであって、前記第１および第２の開孔メッシュの各々が、平坦面と、この平坦面から隆起したエンボス面とを含む、ステップと、
ｃ．前記第１の開孔メッシュに隣接する第１の圧縮フレームと、前記第２の開孔メッシュに隣接する第２の圧縮フレームとを配置するステップであって、各圧縮フレームが、接続部位で互いに接続された圧縮アームを有し、それら圧縮アームが、フレームの外周で区切られた領域内に広がる、ステップと、
ｄ．前記第１および第２の圧縮フレームの圧縮アームの接続部位に設けられた穴、前記第１および第２の開孔メッシュに設けられた穴、および前記固体高分子電解質膜およびアノード触媒層およびカソード触媒層を介して、留め具を挿入するステップと、
ｅ．前記留め具によって提供される圧縮力により、前記接続部位において、前記第１の圧縮フレームと前記第２の圧縮フレームとの間の固体高分子膜、第１の開孔メッシュ、第２の開孔メッシュを圧縮するステップとを含み、
前記圧縮フレームによって区切られた電気化学セルの領域にわたって実質的に均一な圧縮力を提供するように、前記接続部位が、フレームの外周によって区切られた領域内に分布することを特徴とする方法。
【発明の詳細な説明】
【技術分野】
【０００１】
本発明は、汚染物質の除去率を向上させた廃水処理用の電気化学セルに関し、特に、電気的保護を改善した、固体高分子電解質膜および集電およびセル圧縮システムを含む有機および無機汚染物質除去用の電気化学セルに関する。
【背景技術】
【０００２】
人口の増加および生成される廃水の量の増加、厳格な廃水品質規制、清浄水のコストの増加および水不足、清浄水源の保護に対する認識および老朽化した廃水処理インフラの交換によって、新しい廃水処理の需要が大幅に増加している。業界は、厳しい排出基準とコスト圧力の両方を強いられており、排出前に厄介な廃水汚染物質を除去し、オンサイトの水再利用およびリサイクルシステムを採用して、給水および排水のコスト上昇を回避している。その要件は、化学物質の追加を必要とせず、二次汚染を引き起こさず、厳格な水質基準に準拠し、最小限の運転要件およびメンテナンス要件を持つ、費用対効果の高い持続可能な水処理システムに対するものである。
【０００３】
産業廃水は有機化合物を含むことがあり、その多くは毒性がありかつ難分解性であり、従来の生物学的および化学的廃水処理に抵抗する。厄介な廃水を処理するための好ましいアプローチは、汚染物質を無機化し、廃棄物の有機負荷と毒性を減らすことができる電気化学的酸化などの非化学的酸化技術によるものである。電気化学的酸化は、持続可能で安全であり、残留性有機汚染物質、ダイオキシン、窒素種（例えば、アンモニア）、医薬品、病原体、微生物、重点汚染物質および殺虫剤の大部分など、多種多様な汚染物質を除去する高い処理効果を有している。廃水の電気化学的処理の分野では、廃水中の汚染物質を酸化するための２つの主要なアプローチがある。第１の方法は、アノード表面上に直接ある有機および／または無機汚染物質の直接電気化学酸化である。第２の方法は、化学的酸化種（ヒドロキシル、塩素、酸素または過塩素酸塩ラジカル、次亜塩素酸塩、オゾン、過酸化水素などの化合物）の現場生成による有機および／または無機汚染物質の間接電気化学酸化である。これらの化学的酸化種は、アノード表面で直接生成され、その後、廃水溶液内の汚染物質を酸化する。
【０００４】
直接および間接電気化学的廃水処理のために、フロースルー平行板、分割チャンバ、充填床電極、積層ディスク、同心円筒、移動床電極およびフィルタプレスを含む様々なセル構造が開発されてきた。しかしながら、それら電気化学セル構造のすべてに共通するのは、高いエネルギー消費および／または低い汚染物質除去率につながる不十分な操作効率と性能である。
【０００５】
国際公開第９９／０１３８２号は、廃水処理用の電解槽の性能を高めるために、例えば、処理される流体に１または複数の化学物質（例えば、酸、二酸化炭素、アルカリ、過酸化水素または塩）を添加することを開示している。
【０００６】
支持電解質の添加の要件を排除するアプローチは、電解槽で固体高分子電解質（ＳＰＥ）を使用することである。ＳＰＥ技術は、水の電気分解による水素の生産や、高分子電解質膜燃料電池を使用したエネルギー生成などを含む、他の目的のために開発されてきた。
【０００７】
一般に、廃水処理に用いられる固体高分子電解質（ＳＰＥ）を使用する電気化学セルは、膜によって分離されたアノードおよびカソードと、廃水をアノードおよびカソードにそれぞれ供給する２つの流れ場プレートとを含む。そのような配置は、燃料電池および電解槽で使用されるセル設計と同様である。燃料電池および電解槽では、膜は、カソード側を流れる電解質をアノード側を流れる電解質から分離する必要がある。廃水処理に使用される電気化学セルは、アノード側とカソード側の完全な分離を必ずしも必要としないという点で、水素製造用の燃料電池および電解槽とは区別される。燃料電池と電解槽では、アノードとカソードの流れの混合を防ぐために膜の穿孔を避け、アノードとカソードのコンパートメント間のガス漏れを防ぐ必要がある。燃料電池と電解槽のもう１つの特徴は、圧力を失わずに流体がセルのアクティブ領域を通って、またはアクティブ領域にわたって移動できるようにするために、そのようなセルでアセンブリの気密性および液密性が必要なことである。
【０００８】
固体高分子電解質（ＳＰＥ）を使用する廃水処理用の電解槽の１つの構成が、例えば、本出願人の国際公開第２０１２／１６７３７５号に記載されている。このシステムは、カソードガス拡散層およびカソード触媒層を有するカソードと、アノード拡散層およびアノード触媒層を有するアノードと、アノード層とカソード層を分離する固体高分子膜電解質とを含む電解槽を備えている。廃水は、アノード流体送達層の隣に配置されたアノード流れ場プレートに設けられた流れ場チャネルを介して誘導することにより、アノード流体送達層との間で均一に送達される。廃水の電気化学的処理中に生成された水素ガスは、カソードから収集され、カソード流体送達層の隣に配置された流れ場プレートに設けられた流れ場チャネルを介して電解槽の外に導かれる。このシステムは、スタックに直列および／または並列配置された複数の電解槽を含むことができ、陰極液または他の支持電解質なしで動作することができる。
【０００９】
支持電解質を使用せずに低伝導性廃水を処理するための別のアプローチが、国際公開第２００５０９５２８２号／米国特許第７，７０４，３５３号に開示されている。このシステムは、低伝導性廃水の単一チャンバ内に配置されたアノード電極とカソード電極の間に挟まれた固体高分子電解質を使用する。電極は、例えば、ドープされたダイヤモンド層でコーティングされたエキスパンドメタルグリッドであり、電極とその間の高分子固体電解質によって形成されたアセンブリの四隅の領域に配置されたボルトによって高分子固体電解質の方向にクランプされ、ボルトが、槽の縁部で電極および固体電解質を通って突き出ている。いくつかの実施形態では、電極が、ドープされたダイヤモンド層でコーティングされた金属板であり、高分子電解質が、互いに離れて配置され電極間に配置された垂直ストリップに形成されている。この先行技術文献で使用されるシステムは、高分子固体電解質に作用する電極の比較的低い接触圧力と、電極の比較的低い機械的安定性とに依存している。圧力は、アセンブリの四隅の領域に配置されたねじボルトによって、高分子固体電解質の方向に２つの電極をクランプすることによって加えられる。この配置は、高分子固体電解質と電極との間の接触が特定の領域、例えばアセンブリの中心で維持することができず、それが、このシステムの動作効率に悪影響を及ぼすという欠点を示している。さらに、高分子固体電解質材料のストリップを含む解決策は、導電性領域を減らすことによりシステムの動作効率も低下させる。このセットアップの汚染物質の無機化のエネルギー消費は、必要とされる高電圧のために高く、それは、この槽アセンブリの高い抵抗損失を示しており、本出願人によって認識されていなかった事実である。
【００１０】
従来技術からの廃水処理用の電気化学セルの別の例は、Ｇｏｎｃａｌｖｅｓ等により、Ｅｌｅｃｔｒｏｃｈｉｍｉｃａ  Ａｃｔａ  １２１（２０１４）１−１４に開示されており、この文献は、酸化層がステンレス鋼の微細メッシュ基板上に支持されているＳｂ−ＳｎＯ２電極を使用するＳＰＥ（固体高分子電解質）フィルタプレスセルについて述べている。ＳＰＥセルの望ましい構成を得るために、ステンレス鋼メッシュを電極（アノードとカソード）の間に配置し、ステンレス鋼製の穴あき集電体を使用して、集電体の縁部に固定したスプリングを介してＳＰＥに均一に圧力が分散されるようにしている。電極／ＳＰＥ／水の界面での十分な機械的／電気的接触を促進するために、集電体に固定されたばね荷重ネジを締めることにより、０．５ｋｇｆｃｍ−２の圧力がかけられた。ばね荷重ネジは、活性領域を取り囲むように、集電体の縁部に固定された。この開示は、「この手順により、ＳＰＥの適切な圧縮が確保され、ゼロギャップに必要な条件が提供された」および「これにより膜の破裂も防止された」と述べている。このアセンブリは水に浸された。この先行技術文献は、ＳＰＥフィルタプレス反応器の使用によって電極の不活性化を防止することはできなかった、すなわち酸化物バルク内の導電率の漸進的低下により電極が不活性化された、と結論付けている。
【００１１】
このフィルタプレスに使用される金属支持体は、チタンの代わりにステンレス鋼であり、これが電極の不活性化および性能低下を引き起こした可能性がある。著者が認識していなかったこのセルの性能低下の別の原因は、穴あき集電体の使用である可能性があり、それが、燃料電池または電解槽のようなアセンブリの流れ場と同様に、プレートの固体部分の下の触媒反応部位の閉塞により、高レベルの触媒失活をもたらし得る。Ｇｏｎｃａｌｖｅｓ等によって提示されたフィルタプレスは、活性領域の縁部のみでばね荷重ネジを使用する圧縮システムが原因で、スケールアップして、大量の廃水の処理を達成することができなかった。これは、膜の破裂を防ぐことを目的として行われたものであった。スケールアップしたシステムでは、そのような圧縮システムが、縁部からさらに離れた活性領域の部分（例えば、活性領域の中心部）における電極間に大きなギャップを生じさせる。
【００１２】
本出願人は、国際公開第２０１７／１２３９６９号に開示されているように、電気化学セルのスタックが、処理される廃水を含む反応器タンク内に入れられたシステムも開発しており、このシステムにおいて、各電気化学セルが、固体高分子電解質（ＳＰＥ）膜、アノードおよびカソード触媒層を含み、各触媒層が、固体高分子電解質膜の一方の面に隣接し、かつ開孔メッシュも含み、各開孔メッシュが触媒層に隣接している。このシステムは、圧縮フレームをさらに備え、各フレームが、開孔メッシュに隣接し、その外周で区切られた領域内に広がる圧縮アームを有し、圧縮アームが、接続部位で互いに接続されている。このシステムはさらに留め具を含み、この留め具が、接続部位における圧縮フレームのアームに設けられた穴と、開孔メッシュに設けられた穴と、触媒被覆膜を介して突き出して、２つの圧縮フレーム間の、固体高分子電解質膜、触媒層および開孔メッシュを圧縮している。このシステムは、流れ場プレートとランダムで不均一な多孔質媒体（ガス拡散層）の除去により、低い運転コストでより高い汚染物質除去率を達成することが実証されている。このシステムは低電圧動作とエネルギー消費を提供し、様々な排水流量で動作することができる。
【００１３】
本出願人の係属中の特許出願に記載のシステムでは、電気化学セルの開孔メッシュおよび圧縮フレームが、電流収集のために、導電性材料でできている。そのようなシステムでは、セル構成要素間、例えば、触媒被覆膜の両側の２つの開孔メッシュ間の電流の短絡を防止する必要がある。
【００１４】
本出願人の係属中の出願に記載の電気化学セルのスタックのシステム性能は大幅に改善されているが、電流短絡に対するセルのより安全な保護を提供することにより、システムをさらに改善する必要がある。
【発明の概要】
【００１５】
本発明は、廃水処理用の電気化学セルを記載し、この電気化学セルが、固体高分子電解質膜と、固体高分子電解質膜の第１の面に隣接するアノード触媒層と、固体高分子電解質膜の第１の面と反対側の第２の面に隣接するカソード触媒層とを備える。電気化学セルはさらに、アノード触媒層に隣接する第１の開孔メッシュと、カソード触媒層に隣接する第２の開孔メッシュと、第１の開孔メッシュに隣接する第１の圧縮フレームと、第２の開孔メッシュに隣接する第２の圧縮フレームとを備え、各圧縮フレームが、フレームの外周で区切られた領域内に広がる圧縮アームを有し、各圧縮アームが接続部位で互いに連結されている。留め具は、第１および第２の圧縮フレームの圧縮アームの接続部位に設けられた穴と、第１および第２の開孔メッシュに設けられた穴と、固体高分子電解質膜およびアノード触媒層およびカソード触媒層とを通って突き出している。留め具は、２つの圧縮フレーム間の固体高分子電解質膜、触媒層および開孔メッシュを圧縮する力を提供する。各開孔メッシュは、平坦面と、この平坦面から隆起したエンボス面とを含む。
【００１６】
第１の開孔メッシュおよび第２の開孔メッシュの各エンボス面は、個別のエンボス領域を含み、各エンボス領域が、開孔メッシュに設けられた穴を取り囲む。第１の開孔メッシュおよび第２の開孔メッシュのエンボス面は、横断エンボス領域をさらに含むことができ、各横断エンボス領域が、開孔メッシュの穴を取り囲む２つのエンボス領域を接続し、かつ組立後の電気化学セルにおいて圧縮フレームの圧縮アームに隣接して配置される。第１および第２の開孔メッシュのエンボス面は、各開孔メッシュの外周に沿ってその縁部に配置される周辺エンボス領域をさらに含むことができる。
【００１７】
第１および第２の開孔メッシュに設けられた穴を取り囲む開孔メッシュのエンボス領域、組立後の電気化学セルの圧縮アームの下に適合する横断エンボス領域、および／または開孔メッシュの外周に沿ってその縁部に配置される周辺エンボス領域の各々は、隆起した平坦領域と、このエンボス領域の隆起した平坦領域を開孔メッシュの平坦面に接続する傾斜領域とを含む。
【００１８】
いくつかの実施形態では、電気化学セルが、アノードを向く開孔メッシュの穴を取り囲むエンボス領域とアノード触媒層との間に配置されるスペーサ、および／またはカソードを向く開孔メッシュの穴を取り囲むエンボス領域とカソード触媒層との間に配置されるスペーサをさらに含む。スペーサは、ゴム、例えばＥＰＤＭ（エチレンプロピレンジエンモノマー）、Ｂｕｎａ−Ｎ（ニトリルゴム）またはＶｉｔｏｎ（商標）で作ることができる。
【００１９】
好ましい実施形態では、固体高分子電解質膜に、留め具の貫通を可能にする穴が設けられている。開孔メッシュの穴は、好ましくは、固体高分子膜の穴よりも大きく、かつ／または圧縮アームの穴よりも大きい。
【００２０】
開孔メッシュのエンボス面は、開孔メッシュの材料の弾力性と、ＣＣＭ、開孔メッシュおよび圧縮フレームにより形成されるアセンブリに留め具によって加えられる圧縮力と、開孔メッシュの厚さとに基づいて、寸法が設定されている。開孔メッシュのエンボス面は、留め具によって加えられる圧縮力の下で、２つの開孔メッシュが互いに接触しないように、寸法が設定されている。
【００２１】
好ましい実施形態では、電気化学セルの各圧縮フレームが、フレームの一側に周辺領域を含み、その周辺領域が、電気化学セルの反対側の圧縮フレームを越えて延びるとともに、少なくとも１の穴を有しており、電気化学セルが反応器タンクの壁のスロットに取り付けられたときに、処理される廃水が、その穴を通って、電気化学セルの一方の側から他方に流れることができる。組立後の電気化学セルでは、一方の圧縮フレームの周辺領域が、セルの他方の圧縮フレームの周辺領域とは反対の方向に延び、両方の周辺領域が、反応器タンクの対向壁に設けられたスロットに嵌入される。
【００２２】
いくつかの実施形態では、電気化学セルの各圧縮フレームが、フレームの両側の各々に周辺領域を含み、それら周辺領域が反応器タンクのスロットに嵌入し、各周辺領域が少なくとも１の穴を備え、そのような電気化学セルのスタックが反応器タンク内に入れられると、タンク内の廃水溶液が、圧縮フレームの周辺領域に設けられた穴を通って、電気化学セルの一方の側から反対側に流れることができる。
【００２３】
好ましい実施形態では、アノード触媒層およびカソード触媒層の各々が、固体高分子電解質膜のそれぞれの面上に置かれて、触媒被覆膜（ＣＣＭ）を形成する。
【００２４】
他の実施形態では、アノード触媒層が、固体高分子電解質膜の一方の面上に置かれ、カソード触媒層が、膜の反対側の面を向く開孔メッシュの面上に置かれる。同様に、他の実施形態では、カソード触媒層が、固体高分子電解質膜の一方の面上に置かれ、アノード触媒層が、膜の反対側の面を向く開孔メッシュの面上に置かれる。さらに、他の実施形態では、アノード触媒層が、第１の開孔メッシュの一方の面上に置かれ、カソード触媒層が、第２の開孔メッシュの一方の面上に置かれ、触媒層でコーティングされた開孔メッシュの各面が、膜の反対側を向いている。
【００２５】
本発明の好ましい実施形態では、固体高分子電解質膜が周辺部分を有し、この周辺部分が、触媒層を越えて延びるとともに、第１および第２の圧縮フレームの間に突き出して２つのフレーム間を電気的に絶縁する。
【００２６】
圧縮フレーム間の膜、触媒層および開孔メッシュにより形成されたアセンブリを圧縮するために使用される留め具は、非導電性材料により形成されている。
【００２７】
本発明の電気化学セルの圧縮フレームおよび開孔メッシュは、導電性材料により形成されている。例えば、圧縮フレームは金属またはセラミック材料により形成されている。
【００２８】
本発明の電気化学セルでは、開孔メッシュが、処理される廃水の触媒反応部位への容易なアクセスを可能にし、かつ生成ガスの容易な除去も可能にする多孔率を有する。好ましい実施形態では、開孔メッシュが、約３０〜約９５％の多孔率を有する。
【００２９】
いくつかの実施形態では、固体高分子電解質膜がアニオン固体高分子電解質である。他の実施形態では、固体高分子電解質膜がカチオン固体高分子電解質である。
【００３０】
本発明は、本明細書に記載の少なくとも１の電気化学セルを含む廃水処理用の電気化学セルのスタックにも関する。一部の小規模用途では、スタックが６以下の電気化学セルで構成される。好ましくは、廃水処理用の電気化学セルのスタックは、本明細書に記載のアーキテクチャを有する５０個の電気化学セルを含む。一般に、廃水処理用の電気化学セルのスタックは、最大５００個の電気化学セルを含むことができる。
【００３１】
スタック内の電気化学セルは、少なくとも１本のロッドを介して接続され、２つの隣接する電気化学セル間に空間を生成するように配置され、この空間がセル間で生成ガスの流れを可能にする。電気化学セルの各圧縮フレームに、少なくとも１の穴を有する周辺領域が設けられた電気化学セルを含むスタックの場合、電気化学セルは、ロッドを介してセルを接続する代わりに、圧縮フレームの周辺領域を、反応器タンクの対向壁に設けられたスロット内に取り付けることにより、反応器タンク内に配置される。スロットは互いに一定の距離で配置され、これにより、スタック内の隣接する電気化学セル間に適切な空間を確保して、スタック内の電気化学セル間で生成ガスが流れることを可能にする。
【００３２】
いくつかの実施形態では、スタックが、いくつかの電気化学セルを備え、１つの電気化学セルのアノード側が、スタック内の隣接する電気化学セルのアノード側を向いている。いくつかの他の実施形態では、スタック内の１つの電気化学セルのアノード側が、隣接する電気化学セルのカソード側を向いている。
【００３３】
本発明は、処理される廃水を含む反応器タンク内に入れられた電気化学セルの少なくとも１のスタックを含む廃水処理用のシステムに関し、スタック内の電気化学セルが、本明細書に記載の構成要素および構造を有する。スタックは、直列または並列に接続することができる。
【００３４】
本システムの反応器タンクは、ガス排出ポートを有する蓋を備え、スタック動作中に生成された生成ガスが、ガス排出ポートを通って反応器タンクの外側に流れる。好ましくは、反応器タンクはレベルセンサを含む。
【００３５】
廃水を処理する方法も記載されており、この方法が、
ａ．本明細書に記載の構造を有する電気化学セルを提供するステップであって、電気化学セルが、処理される廃水を含む反応器タンク内に入れられる、ステップと、
ｂ．電気化学セルに電圧を印加するステップと、
ｃ．電気化学セルを予め設定された電流密度で動作させ、それにより廃水中の汚染物質を分解するステップとを含み、
廃水が、圧縮フレームの圧縮アームの間および開孔メッシュを通って流れて、触媒層に到達し、廃水中の汚染物質を分解する反応を生じる。
【００３６】
好ましい実施形態では、この方法が、電気化学セルに約１．３〜約１０Ｖの電圧を印加するステップを含む。さらに、いくつかの実施形態では、この方法が、約０．０５〜約１．０Ａ／ｃｍ２の動作電流密度で電気化学セルを動作させるステップをさらに含む。
【００３７】
本発明の方法は、電気化学セルの動作中の予め設定された時間に反応器タンク内の廃水からサンプルを採取するステップと、そのサンプルが水純度要件を満たす場合に、廃水を排出タンクに排出するステップとをさらに含む。反応器タンク内の廃水からサンプルを採取するための予め設定された時間は、処理される廃水の量と、実験的に判定される汚染物質除去率とに基づいて、決定することができる。
【００３８】
廃水処理用の電気化学セルを組み立てる方法も開示されており、この方法が、
ａ．固体高分子電解質膜と、固体高分子電解質膜の第１の面に隣接するアノード触媒層と、固体高分子電解質膜の第１の面と反対側の第２の面に隣接するカソード触媒層とを提供するステップと、
ｂ．アノード触媒層に隣接する第１の開孔メッシュと、カソード触媒層に隣接する第２の開孔メッシュとを配置するステップであって、第１および第２の開孔メッシュの各々が、平坦面と、この平坦面から隆起したエンボス面とを含む、ステップと、
ｃ．第１の開孔メッシュに隣接する第１の圧縮フレームと、第２の開孔メッシュに隣接する第２の圧縮フレームとを配置するステップであって、各圧縮フレームが、導電性材料により形成されるとともに、接続部位で互いに接続された圧縮アームを有し、圧縮アームが、フレームの外周で区切られた領域内に広がる、ステップと、
ｄ．第１および第２圧縮フレームの圧縮アームの接続部位に設けられた穴、第１および第２の開孔メッシュに設けられた穴、および固体高分子電解質膜およびアノード触媒層およびカソード触媒層を介して、留め具を挿入するステップと、
ｅ．留め具によって提供される圧縮力により、接続部位において、固体高分子膜、第１の開孔メッシュ、第２の開孔メッシュ、第１の圧縮フレームおよび第２の圧縮フレームを圧縮するステップとを含み、
圧縮フレームによって区切られた電気化学セルの領域にわたって実質的に均一な圧縮力を提供するように、接続部位が、フレームの外周によって区切られた領域内に分布する。
【図面の簡単な説明】
【００３９】
図面は、本発明の特定の好ましい実施形態を示しているが、決して本発明の主旨または範囲を制限するものと見なされるべきではない。
【図１】図１は、本発明に係る廃水処理用の電気化学セルの分解図を示している。
【図２】図２は、組み立てられた状態の電気化学セルの概略図を示し、セル構成要素が、２つの圧縮フレーム間で圧縮され、ねじ荷重ボルトおよびナットを使用して一緒に組み立てられている。
【図３】図３は、図２に示す電気化学セルアセンブリの線分Ａ−Ａに沿った断面を示している。
【図４】図４は、本発明の別の実施形態の断面を示しており、留め具の近くのエンボス加工された開孔メッシュを支持するためのスペーサを含む。
【図５】図５は、穴の周囲のエンボス領域、横断エンボス領域および周辺エンボス領域を有するエンボス開孔メッシュ、および電流伝導リードを一つのみ有する圧縮フレームを含む、本発明の電気化学セルの別の実施形態を示している。
【図６】図６は、図５に示す実施形態に係るエンボス加工された開孔メッシュを示している。
【図７】図７は、図５に示す電気化学セルの線分Ｂ−Ｂに沿った断面を示している。
【図８】図８は、本発明に係る構造を有する電気化学セルのスタックの概略図を示している。
【図９】図９は、反応器タンクと、本発明に係る構造を有する電気化学セルのスタックとを含む廃水処理用のモジュールの分解図を示している。
【発明を実施するための形態】
【００４０】
本明細書では特定の用語が使用されるが、それらは以下に与えられる定義に従って解釈されることを意図している。また、「ａ」や「ｃｏｍｐｒｉｓｅｓ」などの用語は、オープンエンドと見なされる。さらに、本明細書で引用したすべての米国特許公報および他の文献は、引用によりそれらの全体が援用されることを意図している。
【００４１】
本明細書において、ＳＰＥは、固体高分子電解質を表し、Ｎａｆｉｏｎ（登録商標）などの任意の適切なイオン伝導性イオノマー（アニオンまたはカチオン、有機または無機形態の何れか）であり得る。したがって、ＳＰＥ電気化学セルは、電気エネルギーが供給されて所望の電気化学反応をもたらす（セルのアノードに正電圧が印加される）、電解質としてＳＰＥを含むセルである。
【００４２】
本明細書において、数値に言及する場合、「約」という用語は、特に明記しない限り、言及されている値のプラスまたはマイナス１０％以内の値の範囲を含むと解釈されることを意図している。
【００４３】
本発明に係る廃水処理用の例示的な電気化学セルが、図１の分解図に示されている。電気化学セル１００は、触媒被覆膜１０２（ＣＣＭ）を備え、この触媒被覆膜が、その両側のそれぞれに触媒層１０６でコーティングされた固体高分子電解質膜１０４から構成されている。膜の第１の面上の１つの触媒層１０６のみが図１に示されており、例えば、これはアノード触媒層であり得るが、当業者であれば、膜の反対面も触媒層でコーティングされており、それが、この実施例ではカソード触媒層であり、アノード触媒層と実質的に同じ面積を有することができることを容易に理解するであろう。これに関連して、本開示では、電気化学セルのアノード活性領域は、アノード側の触媒層でコーティングされた膜（または、代替的な実施形態においていさらに述べる開孔メッシュ）の領域として定義され、カソード活性領域は、カソード側の触媒層でコーティングされた膜（または開孔メッシュ）の領域として定義される。図示の実施形態では、固体高分子電解質膜１０４に、さらに後述するように、電気化学セルの組立中に留め具１２２が膜を通って延びることを可能にする穴１０５が設けられている。別の実施形態では、固体高分子電解質膜１０４に、穴が予め形成されておらず、その場合、電気化学セルの組立プロセス中に留め具が膜を貫通する。
【００４４】
電気化学セルは、触媒被覆膜１０２に隣接してＣＣＭの各面に配置された開孔メッシュ１０８、１１０と、開孔メッシュ１０８、１１０にそれぞれ隣接して配置された圧縮フレーム１１２、１１４とをさらに含む。開孔メッシュ１０８、１１０は、メッシュの相対的大きな多孔率を可能にする開孔が設けられたメッシュであり、電気化学セルの組立中に留め具１２２の貫通を可能にする穴１１５、１１６をそれぞれ有し、それら穴の周りにエンボス領域１５０、１６０がそれぞれ設けられている。個別のエンボス領域を含む開孔メッシュ１０８、１１０のより詳細な図は、後述する図３に示されている。開孔メッシュ１０８、１１０のそれぞれの面積は、膜の触媒被覆領域である電気化学セルのアノードおよびカソードそれぞれの活性領域と実質的に同じである。ＣＣＭ（１０２）の周辺の領域１２８は、その外周に沿って、触媒でコーティングされておらず、電気的遮蔽機能を持っている。
【００４５】
図示の例では４辺を有する矩形状の圧縮フレーム１１２、１１４は、それぞれ、接続部位１２０、１２１で互いに接続された圧縮アーム１０７、１１８を有し、それら圧縮アームが、圧縮フレームの四辺間の領域内に延びている。電気化学セルの組立中に留め具１２２の貫通を可能にするために、圧縮フレームの接続部位１２０、１２１に穴１１９、１２３がそれぞれ設けられている。接続部位は、各圧縮フレームの４辺の間の領域内に分散配置されている。圧縮フレーム１１２、１１４には、セルを電源、一般的にはＤＣ電源に接続するためのリード１３０、１３１がそれぞれ設けられている。当業者であれば、圧縮フレーム１１２、１１４が本図に示される矩形状とは異なる形状を有することができ、圧縮アーム１０７、１１８および接続部位１２０、１２１が、各圧縮フレームについて、その外周によって区切られる領域内に分散配置されることを理解するであろう。矩形状の圧縮フレームの場合、フレームの外周はその辺によって定義される。
【００４６】
図１、図２、図３、図８、図９では、留め具１２２が、必要な圧縮力を確保するためにナット１２６と協働するねじ付きボルトとして示されているが、当業者であれば、他の任意の留め具、例えば、図４に示すようなリベットが、開孔メッシュおよびＣＣＭ上に圧縮フレームによって加えられる圧縮力を与えるために使用されるようにしてもよく、そのような留め具が、必要とされる圧縮力を確保するために如何なる追加の要素も必要としないことを理解するであろう。
【００４７】
開孔メッシュ１０８、１１０は、触媒層上の反応部位に対する汚染水および処理水の容易なアクセスを可能にするとともに、触媒層に隣接して形成されるガスの容易な除去を可能にする相対的に高い多孔率を有する。本発明において、多孔率は、開口面積とメッシュの体積との間の比として定義される。使用できるメッシュのタイプには、２５０〜５５０ミクロンのメッシュ厚、２２〜５０ミクロンの繊維直径、５０〜８５％の気孔率を有するＢｅｋａｅｒｔによって提供される焼結チタン繊維メッシュと、１０〜５，０００ミクロンのメッシュ厚、０．０４〜０．０５５インチのストランド幅、３０〜９５％の気孔率、１平方インチあたり約３３〜４９３の開口部、ＬＷＤ（菱形の対角線長辺）において０．０７５〜０．２８９インチ、ＳＷＤ（菱形の対角線短辺）において０．０３２〜０．２インチの寸法の菱形の開口部を有し、例えば供給者のウェブサイトに記載されているように、ＬＷＤおよびＳＷＤが菱形開口部の対角線の寸法である、Ｄｅｘｍｅｔにより提供されるエキスパンドメタルメッシュとが含まれるが、それらに限定されるものではない。好ましくは、開孔メッシュは、１０〜５０００ミクロンの厚さおよび約３０〜９５％の多孔率を有する導電性金属またはセラミックでできている。
【００４８】
電気化学セルは、留め具１２２を使用して、開孔メッシュ１０８と１１０の間、および圧縮フレーム１１２と１１４の間でＣＣＭ１０２を圧縮することにより、一緒に組み立てられ、留め具は、圧縮アーム１０７、１１８の接続部位１２０、１２１に設けられた穴１１９、１２３、開孔メッシュ１０８、１１０に設けられた穴１１５、１１６、触媒層１０６、および固体高分子電解質膜１０４に設けられた穴１０５を通って延びる。固体高分子電解質膜１０４が如何なる穴も含まない場合は、留め具１２２は、電気化学セルが組み立てられるときに、膜を直接貫通することができる。留め具１２２には、留め具から圧縮アーム１０７に圧縮力を拡散するワッシャ１２４を設けることができ、代替的には、圧縮力を拡散することができる形状を有することができる。
【００４９】
留め具１２２、ワッシャ１２４およびナット１２６は、非導電性材料で作られている。本発明の電気化学セルでは、留め具１２２が、圧縮フレームの全領域にわたって分布する接続部位、開孔メッシュおよびＣＣＭを貫通して、電気化学セルの活性領域全体にわたる圧縮力の実質的に均一な分布を確保するとともに、電極間の減少したギャップを維持する。これは、電気化学セルの圧縮を、セルの周囲に配置されたばね荷重ボルトを介したフレームの周辺圧縮のみによって達成し、圧縮手段のＳＰＥ膜の貫通を回避するようにした既存の先行技術に記載の圧縮システムとは異なる。
【００５０】
ＳＰＥ膜１０４は、本圧縮システムにより、電極（膜のアノード側およびカソード側の触媒層）間のギャップを減少させる。図示の電気化学セルは、触媒層を支持するためのガス拡散層を含んでおらず、電極は、この実施形態では膜の一方の面にそれぞれ置かれたアノードおよびカソード触媒層１０６のみを含み、それが、より低い運転コストに寄与している。他の実施形態では、触媒層の各々を開孔メッシュ１０８、１１０の一方の面上に、より具体的には膜１０４に面する開孔メッシュの側に、置くことができる。開孔メッシュ１０８、１１０は、ローカル電流収集を提供する。圧縮フレーム１１２、１１４は、開孔メッシュ１０８、１１０の外周電流収集を可能にし、それらの圧縮アーム１０７、１１８は、主に圧縮アームとそれぞれの接続部位の分布により、開孔メッシュ、膜および触媒層の実質的に均一な圧縮をそれぞれアノード活性領域とカソード活性領域の全体にわたって達成する。圧縮フレーム１１２、１１４は、例えば、０．５〜５ｍｍの厚さを有する導電性金属またはセラミックでできている。当業者は、接続部位の数および圧縮フレームのアスペクト比が変わる可能性があり、開孔メッシュおよびＣＣＭの実質的に均一な圧縮を可能にするとともに、市販の異なるサイズの固体高分子膜に対応するように構成することができることを理解するであろう。例えば、図５は、図１、図２、図８、図９に示す圧縮フレームの１つとは異なる矩形状の圧縮フレームの様々なアスペクト比、および接続部位の様々な分布を示している。
【００５１】
図１の電気化学セルは、その組み立てられた状態で図２に示されている。触媒で被覆されていない固体高分子電解質膜の領域１２８は、圧縮フレームの間に突出し、それにより膜が圧縮フレーム間に電気的遮蔽を提供する。
【００５２】
図２の電気化学セルアセンブリのＡ−Ａ断面が図３に示されている。触媒被覆膜（ＣＣＭ）１０２は、開孔メッシュ１０８、１１０間に配置されている。留め具１２２は、圧縮フレーム１１２、１１４の穴１１９、１２３、開孔メッシュ１０８、１１０の穴１１５、１１６、ＣＣＭ１０２の穴１０５を通って突き出し、ナット１２６と協働して、アセンブリ全体の圧縮を確保する。
【００５３】
開孔メッシュ１０８のエンボス領域１５０および開孔メッシュ１１０のエンボス領域１６０は、隆起平坦領域１５４、１６４と、それら隆起平坦領域１５４、１６４を開孔メッシュの平坦面１４２、１５２にそれぞれ接続する傾斜領域１５６、１６６とを含む。開孔メッシュの隆起平坦領域１５４、１６４には、穴１１５、１１６が設けられている。エンボス領域１５０、１６０の隆起平坦領域および傾斜領域の絶対寸法および相対寸法は、開孔メッシュの厚さを考慮しながら、開孔メッシュの材料の弾力性と、留め具によりアセンブリに加えられる圧縮力とに基づいて計算することができる。何れにしても、エンボス領域の寸法は、留め具により加えられる圧縮力と開孔メッシュの材料の弾力性とに基づいて計算し、それによりＣＣＭの一方の面上の開孔メッシュがＣＣＭと留め具との間の空間を通って突き出さないように、かつＣＣＭの反対側の面上の開孔メッシュと接触しないようにする必要がある。
【００５４】
図３に示すように、開孔メッシュ１０８、１１０のエンボス領域１５０、１６０は、それぞれ平坦面１４２、１５２から隆起しているため、開孔メッシュ１０８、１１０は、留め具１２２を取り囲む領域において、ＣＣＭ１０２に近付くことはなく、所定距離互いに分離される。これにより、２つの開孔メッシュの端部がＣＣＭに接触または接近した場合、またはＣＣＭに設けられた穴１０５を介して互いに接触した場合に発生する可能性のある電気的短絡を防止することができる。当業者は、図３、図４、図７が、ＣＣＭ、開孔メッシュおよび圧縮フレームにより形成されたアセンブリに留め具によって必要な圧縮力が加えられた、組立状態の電気化学セルを示していることを容易に理解するであろう。
【００５５】
図４は、本発明のエンボス加工された開孔メッシュを含む電気化学セルの別の実施形態のＡ−Ａ断面を示している。この実施形態は、図３に示すものと同じ、同様の符号の構成要素を含む電気化学セルを示している。電気化学セルは、２つの開孔メッシュ２０８、２１０間、および２つの圧縮フレーム２１２、２１４間に配置されたＣＣＭ２０２を含む。留め具２２２は、電気化学セルの構成要素の圧縮を確保する。この実施形態では、留め具２２２がリベットであり、よって電気化学セルの圧縮を確保するために他の構成要素は不要である。図３に示す実施形態と同様に、各開孔メッシュは、平坦面２４２、２５２およびエンボス領域２５０、２６０を含み、各エンボス領域が、隆起平坦領域２５４、２６４および傾斜領域２５６、２６６を含み、各傾斜領域が、開孔メッシュの平坦面を隆起平坦領域に接続する。図４に示す実施形態は、開孔メッシュ２０８とＣＣＭ２０２との間に配置されたスペーサ２７０と、ＣＣＭの反対側であって、他の開孔メッシュ２１０とＣＣＭ２０２との間に配置されたスペーサ２７２とをさらに含む。スペーサ２７０、２７２は、開孔メッシュをＣＣＭからある距離に保ち、それにより、アセンブリに圧縮力が加えられたときに２つの開孔メッシュ間の偶発的な接触を防止する。これは、開孔メッシュが薄くかつ／または非常に柔軟な材料で作られている場合に特に有用である。スペーサ２７０、２７２は、ゴム、例えば、ＥＰＤＭ（エチレンプロピレンジエンモノマー）、Ｂｕｎａ−Ｎ（ニトリルゴム）またはＶｉｔｏｎ（商標）から作られている。留め具２２２は、開孔メッシュ２０８、２１０の穴２１５、２１６、スペーサ２７０、２７２の穴２１３、２１７、ＣＣＭの穴２０５、および圧縮フレーム２１２、２１４の穴２１９、２２３を通って突き出し、組み立てられた状態での電気化学セルの圧縮を確保する。
【００５６】
本発明のすべての実施形態では、開孔メッシュの穴が、触媒被覆膜の穴および圧縮フレームの穴よりも大きいものとして示されている。当業者は、留め具の貫通を可能にする開孔メッシュの穴が、ＣＣＭの穴および／または圧縮フレームの穴と同じサイズを有することができることを容易に理解するであろう。
【００５７】
本発明に係る電気化学セルの別の実施形態の正面図が図５に示されている。この実施形態は、ＣＣＭ、開孔メッシュおよび圧縮フレームの全体的な相対的配置に関して図１および図２に示すものと同様であるが、圧縮アームとその接続部位の数と分布を含む圧縮フレームの設計、開孔メッシュの設計、留め具が通る開孔メッシュおよびＣＣＭの穴の数、各圧縮フレームの電流伝導リードに関して、図１および図２に示す実施形態とは異なる。
【００５８】
電気化学セル３００は、圧縮アーム（例えば、３０７）を有する２つの圧縮フレーム３１２、３１４と、２つの開孔メッシュ（図５では、１つの孔メッシュのみが開孔メッシュ３０８として示されている）間、および圧縮フレーム３１２、３１４間のＣＣＭ３０２の必要な圧縮を可能にする留め具３２２とを含む。リベットは、この電気化学燃料電池の圧縮を確保するための留め具として使用されている。
【００５９】
この実施形態では、圧縮フレーム３１２、３１４の各々に、図１に示す２つのリード１３０、１３１の代わりに、１つのリード３３０、３３２のみが設けられている。この代替的な実施形態の各圧縮フレームのリード３３０、３３２は、図１に示すリード１３０、１３１の各々よりも幅が広いことが好ましい。
【００６０】
さらに、各圧縮フレーム３１２、３１４は、それぞれ周辺領域３１１、３１３を含み、各々が、それぞれの圧縮フレームの片側に位置し、穴３４３、３４５がそれぞれ設けられている。電気化学セルが組み立てられるとき、図５に示すように、フレーム３１２の周辺領域３１１は、圧縮フレーム３１４を超えて延び、圧縮フレーム３１４の周辺領域３１３は、圧縮フレーム３１２を超えて延びる。電気化学セル３００は、圧縮フレームの周辺領域を、反応器タンクの対向する２つの壁に設けられたスロット内でスライドさせることにより、反応器タンクに取り付けることができる。複数の電気化学セルが反応器タンクに取り付けられる場合、反応器タンクの対向する２つの壁の各々のスロットは、スタック内の電気化学セル間の間隔を与えるために、互いに一定の距離に配置される。圧縮フレームの周辺領域の穴３４３、３４５は、電気化学セルがタンク内の廃水溶液によって実質的に取り囲まれるように、タンク内の廃水溶液が電気化学セルの一方の側から他方の側に循環することを可能にする。当業者は、いくつかの実施形態では、適切な寸法の、電気化学セルの圧縮フレームの周辺領域の各々にある１つの穴のみでも、所望の効果を達成するのに十分であることを容易に理解するであろう。さらに、いくつかの実施形態では、各圧縮フレーム３１２、３１４が、フレームの両側の各々に周辺領域を有することができ、圧縮フレームの周辺領域の穴が、電気化学セルの一方の側から他方の側に廃水が到達することを可能にする。
【００６１】
図５の電気化学セルの一部として示す開孔メッシュ３０８は、図６により詳細に示されている。開孔メッシュ３０８は、平坦面３４２およびエンボス面３４４を含む。エンボス面３４４は、開孔メッシュ３０８の外周に沿う周辺エンボス領域３４６と、組み立てられた電気化学セル内で圧縮フレーム３１２の圧縮アーム３０７に隣接して配置される横断エンボス領域３４８と、開孔メッシュに設けられた穴３１５を取り囲むエンボス領域３５０とを含む。横断エンボス領域は、穴３１５を取り囲むエンボス領域を、互いに、かつ周辺エンボス領域に接続する。
【００６２】
穴３１５の周りの開孔メッシュ３０８のエンボス領域３５０は、図３または図４に示すエンボス領域１５０、１６０、２５０または２６０と同じように見え、隆起平坦領域および傾斜領域を含む。図１に示す開孔メッシュ１０８と図６に示す開孔メッシュ３０８との違いは、開孔メッシュ３０８が、横断エンボス領域３４８と、開孔メッシュの外周に沿った周辺エンボス領域３４６も含むことである。また、周辺エンボス領域３４６は、図６に示すように、留め具を通す穴３１５も含む。
【００６３】
圧縮フレームの圧縮アームに隣接する開孔メッシュの横断エンボス領域を含む、図５の電気化学セル３００の領域のＢ−Ｂ断面が、図７に示されている。この断面図は、圧縮フレーム３１２、３１４の圧縮アーム３０７、３１８に隣接して配置された横断エンボス領域３４８、３６８を示している。ＣＣＭ３０２は、２つの圧縮フレーム３１２、３１４間に配置された２つの開孔メッシュ３０８、３１０間に配置されている。各開孔メッシュ３０８、３１０は、それぞれ平坦面３４２、３５２および横断エンボス領域３４８、３６８を含み、各横断エンボス領域が、それぞれ隆起平坦領域３５４、３６４および傾斜領域３５６、３６６を含み、それら傾斜領域が、横断エンボス領域の隆起平坦領域を取り囲み、それを開孔メッシュの平坦面に接続する。
【００６４】
また、開孔メッシュ３０８の外周に沿ったその縁部にある周辺エンボス領域３４６は、図７に示す隆起領域および傾斜領域と同様の隆起平坦領域および傾斜領域を含み、当業者は、周辺エンボス領域３４６が隆起平坦領域を含み、この隆起平坦領域が開孔メッシュの外周に沿って伸び、傾斜領域を介して開孔メッシュの平坦面に接続することを容易に理解するであろう。
【００６５】
いくつかの実施形態では、各開孔メッシュが、メッシュに設けられた穴の周囲の個別のエンボス領域と周辺エンボス領域のみを含み、他の実施形態では、各開孔メッシュが、メッシュに設けられた穴の周囲の個別のエンボス領域と、穴の周りの個別のエンボス領域を接続する横断エンボス領域のみを含むことができる。すべての実施形態において、周辺エンボス領域は、留め具を通す穴も含む。
【００６６】
図１に示す本発明の第１の実施形態に係る電気化学セルのスタックが図８に示されている。スタック４００は、上述した図１および図２に示すものと同じ構成を有する複数の電気化学セル１００を含む。セルは、個々のセル１００間に必要な間隔４０９を提供する少なくとも１本のロッド４０３を介して互いに接続されている。図示のスタックでは、電気化学セルを必要な間隔に配置するために２本のロッドが設けられている。図示のスタックは６個の電気化学セルを含むが、当業者は、本発明に係るスタックがより多くの電気化学セルを含むことができ、あるいは非常に小規模の用途では、６個未満の電気化学セルを含むことができることを理解するであろう。好ましい実施形態では、１つのスタックが５０個のセルを含むが、スタックは約５００個までの個々の電気化学セルを含むことができる。反応器タンク内に配置されたスタックの電気化学セルが、図５に示す電気化学セル３００の構成を有する場合、スタックを形成する電気化学セル３００の各々は、反応器タンクの対向する壁に設けられた対応するスロットに配置されて、セル間に必要な空間が設けられ、それにより、廃水溶液がセル間の空間と、圧縮フレームの周辺領域に設けられた穴とを通って流れることができ、各セルが反応器タンク内の廃水溶液に実質的に浸されることとなる。
【００６７】
電気化学セルは、スタックに組み立てられるときに、１つの電気化学セルのアノード側が隣接するセルのカソード側を向くように、または１つの電気化学セルのカソード側が隣接するセルのカソード側を向き、かつ１つの電気化学セルのアノード側が隣接するセルのアノード側を向くように配置されることができる。
【００６８】
廃水処理用のモジュール５００は、図９の分解図に示すように反応器タンク内に入れられた電気化学セルのスタック４００を含む。スタック４００は、図８に示すものと同様の設計を有するものであり、スタック内の各電気化学セルの電極が廃水および汚染物質に直接曝されるように、反応器タンク５０２内に収容されている。モジュール５００は、供給口（図示省略）およびガス排出口５１４が設けられた外蓋５０４と、同様に供給口（図示省略）およびガス排出口５１６が設けられた内蓋５０６とをさらに備え、内蓋および外蓋の両方が、その上部で反応器タンク５０２を覆い、それにより廃水およびスタック４００を収容するとともに、モジュールからの放出を制御する。モジュール５００には、水位が所望の閾値を下回ったときにスタックの動作を停止させるためのレベルセンサ５０８も設けられ、それにより抵抗による焼損および不均一な水和から膜および電極システムが保護される。反応器タンク内では、反応器タンク内の水位を監視するために使用されるレベルセンサ５０８が、チューブ５１０内に収容されている。モジュール５００には、タンク内のレベルが予め設定されたレベルに達したときに反応器タンク内への廃水の流れを止めるためのレベルスイッチ５１２がさらに設けられている。
【００６９】
アノードおよびカソードがともに廃水、より具体的にはアンモニアを含む廃水に直接曝されている、電気化学セルのスタック内の個々の電気化学セルレベルで起こる反応の概略的な説明では、アノード上の電気化学的酸化プロセスが、使用されるＳＰＥの種類、触媒の選択および廃水溶液の組成に依存する特定の反応を伴う、直接、間接表面媒介、および間接二次酸化剤媒介酸化のカテゴリに分類される。正の電荷キャリアはカチオンＳＰＥを使用して移動されるが、負の電荷キャリアはアニオンＳＰＥを使用して移動される。アノード側では、汚染された廃水がアノード触媒層に曝され、段階的な酸化プロセスが生じ、これには、カチオンＳＰＥについては式１−式３、アニオンＳＰＥについては式６および式７にそれぞれ示すように、直接、間接表面媒介、または間接二次酸化剤媒介酸化の何れかが含まれる。
【００７０】
カチオンＳＰＥベースのセルについては、廃水（例えば、アンモニア汚染物質を含む廃水）がアノード触媒層に曝されると、段階的な酸化プロセスがアノードで生じ、式１に示すような直接酸化、または式２（ａ）および２（ｂ）または式３（ａ）および３（ｂ）に示すような間接酸化の何れかを伴う。
【００７１】
式１：アンモニアの直接酸化（アノード半反応）：
2020517420.tif 000003
【００７２】
式２：（ａ）水からのヒドロキシル表面種の生成および（ｂ）ヒドロキシル表面種を介したアンモニアの酸化によるアンモニアの間接酸化（アノード半反応）：
2020517420.tif 000004
【００７３】
式３：（ａ）ＮａＣｌからの次亜塩素酸塩種の生成および（ｂ）次亜塩素酸塩を介したアンモニアの間接酸化によるアンモニアの間接二次酸化剤媒介酸化（アノード半反応）：
2020517420.tif 000005
【００７４】
アノード半反応が式１または式２に示されるカチオンＳＰＥベースの電気化学セルの場合、カソード反応は、式４に示すように、ＳＰＥを横切って輸送されるプロトンからの水素の直接生成を伴う。
2020517420.tif 000006
【００７５】
アノード半反応が式３に示すようになるカチオンＳＰＥベースの電気化学セルの場合、式５（ａ）に示すように、カソード反応は、ＳＰＥを横切るナトリウムイオンの輸送による水酸化ナトリウムの直接生成を伴う。その後、水酸化ナトリウムは、式５（ｂ）に示すように、アノード反応の生成物と溶液中で反応し、塩と水を再形成する。
【００７６】
2020517420.tif 000007
【００７７】
代替的には、廃水（この場合はアンモニア汚染物質）がアノード触媒層に曝されるアニオンＳＰＥベースの電気化学セルの場合、式６および式７にそれぞれ示すようなヒドロキシル表面種または次亜塩素酸塩の何れか含む段階的な間接酸化プロセスがアノードで起こる。
【００７８】
式６：表面ヒドロキシル種を介したアンモニアの間接酸化（アノード半反応）：
2020517420.tif 000008
【００７９】
式７：（ａ）ＳＰＥを横切って輸送されるＣｌイオンからの次亜塩素酸塩種の生成によるアンモニアの間接酸化および（ｂ）次亜塩素酸塩を介したアンモニアの間接酸化（アノード半反応）：
2020517420.tif 000009
【００８０】
アノード半反応が式６に示すアニオンＳＰＥベースの電気化学セルの場合、カソード反応は、式８に示すように、水からのヒドロキシル電荷キャリアおよび水素の生成を伴う：
2020517420.tif 000010
【００８１】
アノード半反応が式７に示すアニオンＳＰＥベースの電気化学セルの場合、カソード反応は、式９に示すように、ＮａＣｌおよび水からの塩素イオン電荷キャリアおよび水素の生成を伴う：
2020517420.tif 000011
【００８２】
式１−式３、式６および式７にそれぞれ示す反応は、アノード半反応であるが、当業者であれば分かるように、多くの場合、反応には多数の中間ステップが存在し、結果として、多くの中間種が存在し得る。しかしながら、そのような中間種も酸化されて最終生成物となり、通常、炭素含有汚染物質についてはＣＯ２、窒素含有汚染物質についてはＮ２、硫黄含有汚染物質についてはＳＯＸを含む。
【００８３】
カソードでは、汚染物質がカソード触媒層と接触すると減少し、そのような還元反応が、廃水汚染物質およびアノードで形成されるそれらの酸化中間化合物の段階的除去の助けにもなる。
【００８４】
上記反応に見られるように、廃水処理中にアノードとカソードの両方でガスが生成され、汚染物質の濃度が高い廃水は、かなりの量のガスを生成する可能性がある。フロープレートを使用する従来の廃水処理システムでは、電気化学セルの動作中に生成される生成ガスが流れ場チャネルに蓄積する可能性があり、それにより、触媒反応部位への廃水のアクセスが妨げられて、電極不活性化領域が生成される。
【００８５】
本発明において、アノードおよびカソードで生成された生成ガスは、例えば図８に示される個々の電気化学セル間の空間４０９を通って自由に流れることができ、反応器タンク５０２内に設けられたヘッドスペースに蓄積することができ、その後に排気または捕捉される。いくつかの実施形態では、反応器タンクが、再循環ポンプまたは撹拌機構を含むことができ、または生成ガスを使用してタンク内の廃水の混合を助けることができる。
【００８６】
廃水処理システムは、複数のモジュール５００を含むことができる。汚染された廃水は、貯蔵タンクに格納することができ、そこから、汚染物質を除去するために処理されるモジュール５００にポンプで送られる。システムが複数のモジュール５００を含む場合、モジュール５００内のスタックは、例えば本出願人の共有の米国特許出願公開第２０１５／０２９８９９８号に示すように、直列または並列に接続することができる。
【００８７】
本明細書に示す実施形態では、電気化学セル１００、３００が、触媒被覆膜（ＣＣＭ）１０２、３０２をそれぞれ含む。代替的な実施形態では、アノード触媒層およびカソード触媒層が、例えば、開孔メッシュの面上に置かれ、電気化学セルを組み立てたときに膜を向く。さらに、他の実施形態では、電気化学セルを互いに組み立てたときに、アノード触媒層が膜の一方の面上に置かれ、カソード触媒層が、膜の他方の面を向く開孔メッシュの面上に置くことができ、あるいは電気化学セルを互いに組み立てたときに、カソード触媒層が膜の一方の面上に置かれ、アノード触媒層が、膜の他方の面を向く開孔メッシュの面上に置くことができる。さらに別の実施形態では、膜がカチオン固体高分子電解質であって、式１、式２または式３に示す反応がアノードで起こり、式４または式５に示す反応がカソードで起こり、他の実施形態では、膜はアニオン固体高分子電解質であって、式６または式７に示す反応がアノードで起こり、式８または式９に示す反応がカソードで起こり得る。
【００８８】
電気化学セルのアノードおよびカソードのそれぞれの活性領域は、約５〜３，５００ｃｍ２の範囲であり得る。
【００８９】
すべての実施形態において、アノード触媒およびカソード触媒は様々な触媒材料を含むことができ、それには、プラチナ、イリジウムを含むプラチナ誘導合金、ルテニウム、ロジウム、パラジウム、コバルト、ニッケル、鉄および鉄合金、銅および銅合金、混合金属酸化物、ダイヤモンド、およびセラミック由来の触媒が含まれるが、それらに限定されるものではない。当技術分野で知られているように、担持触媒の使用は、触媒材料の分散を改善し、特定の触媒と担体との間の利用および相互作用が触媒活性と耐久性を高めることができる。本発明の触媒材料のリストと組み合わせて使用できる触媒担体の例には、チタン、ニオブ、ニッケル、鉄、グラファイト、混合金属酸化物およびセラミックが含まれる。アノード触媒およびカソード触媒は、ステンレス鋼またはグラファイトを含むこともできる。
【００９０】
本発明の電気化学セルを動作させる方法も開示されている。この方法は、
ａ．電気化学セル、例えば図１および図２に示す電気化学セル１００または上述した図５に示す電気化学セル３００に、汚染廃水の流れを供給するステップであって、汚染された廃水を含む反応器タンク５０２と同様の反応器タンク内に電気化学セルが入れられて、電気化学セルのアノード側とカソード側の両方に廃水が供給される、ステップと、
ｂ．電気化学セルに電圧を印加するステップと、
ｃ．電気化学セルを予め設定された電流密度まで動作させ、それにより廃水中の汚染物質を分解するステップとを含み、
廃水が、圧縮フレームの圧縮アームの間および開孔メッシュの開孔を通って流れて、触媒層に到達し、それにより廃水中の汚染物質を分解する反応を生じる。
【００９１】
電気化学セルスタックの動作中の予め設定された時間に反応器タンクに含まれる廃水からサンプルを採取し、反応器タンク内のサンプル水が予め設定された純度値を満たす場合、水が反応器タンクから除去されて排出タンクに入れられる。反応器タンクから水サンプルを採取する予め設定された時間は、例えば実験的検査中に特定の廃水組成物について得られた汚染物質除去率に基づいており、処理される廃水の量にも依存する。反応器タンクへの廃水の供給および反応器タンクからの処理水の排出は、ポンプシステムを介して行うこともできる。
【００９２】
好ましい実施形態では、単一の電気化学セルの動作電圧が約１．３〜約１０Ｖの範囲であり、動作電流密度が約０．０５〜約１．０Ａ／ｃｍ２である。
【００９３】
図１または図５に関連して述べたような廃水処理用の電気化学セルを組み立てる方法も提供されており、この方法は、
ａ．固体高分子電解質膜を提供するステップであって、固体高分子電解質膜が、その第１の面上に置かれたアノード触媒層と、固体高分子電解質膜の第１の面と反対側の第２の面上に置かれたカソード触媒層とを有する、ステップと、
ｂ．アノード触媒層に隣接する第１の開孔メッシュと、カソード触媒層に隣接する第２の開孔メッシュとを配置するステップであって、第１の開孔メッシュおよび第２の開孔メッシュの各々が、平坦面と、この平坦面から隆起したエンボス面とを含む、ステップと、
ｃ．第１の開孔メッシュに隣接する第１の圧縮フレームと、第２の開孔メッシュに隣接する第２の圧縮フレームとを配置するステップであって、各圧縮フレームが、接続部位で互いに連結された圧縮アームを有し、それら圧縮アームが、フレームの外周で区切られた領域内に広がる、ステップと、
ｄ．第１および第２圧縮フレームの圧縮アームの接続部位に設けられた穴、第１および第２の開孔メッシュに設けられた穴、および固体高分子電解質膜およびアノード触媒層およびカソード触媒層を介して、留め具を挿入するステップと、
ｅ．留め具によって提供される圧縮力により、接続部位において、固体高分子膜、第１の開孔メッシュ、第２の開孔メッシュ、第１の圧縮フレームおよび第２の圧縮フレームを圧縮するステップとを含み、
圧縮フレームによって区切られた電気化学セルの領域にわたって実質的に均一な圧縮力を提供するために、接続部位が、フレームの外周によって区切られた領域内に分布する。
【００９４】
廃水処理用の本電気化学セルの利点およびそれを操作する方法は、先行技術の解決策と比較して数多くある。電気化学セルは流れ場プレートを有しておらず、触媒反応部位との間の廃水の容易なアクセスを可能にし、個々のセルを介して反応器タンクの上部に向かう生成ガスの流れを可能にするため、ガスの蓄積による電極の不活性化が大幅に低減されて、触媒層の表面の汚染物質の濃度が増加し、高い汚染物質の除去率により電気システムの効率が向上し、高圧ポンプの必要がなくなる。さらに、本電気化学セルの利点は、電気化学セルの導電性構成要素間の偶発的な接続によって引き起こされる電気的短絡のリスクが防止されることである。
【００９５】
以下の表１は、廃水を処理して様々な種類の汚染物質を除去するための本発明の電気化学セルの性能を要約している。
2020517420.tif 000012
注：ＰＧＭは、白金族金属触媒の略であり、ＥＧはエチレングリコールの略である。比較すると、従来の流れ場プレートを使用した電気化学セルの平均汚染物質除去率は、アンモニアで約６，０００ｍｇ／ｍ２時間、メタノールで２００，０００ｍｇ／ｍ２時間である。
【００９６】
電気化学セルの縁部にある従来の圧縮ハードウェアを、電気化学セルのアノードおよびカソードそれぞれの活性領域全体にわたって分布する圧縮アームおよび接続部位を有する本発明の圧縮フレームによって置き換えるようにしたため、実質的に均一な圧縮が達成され、それにより、約２５〜約５０ミクロンの電極ギャップの一貫した減少と、固体高分子電解質と接触する触媒層の高い表面積とが可能になり、それが、このアーキテクチャの高い電気効率をもたらして、数ミリリットルから数千リットルまでの様々な排水流量で動作する、より大きな電気化学セルにスケールアップすることもできる。
【００９７】
触媒層の活性領域を越えて延びるＳＰＥ膜の部分によって電気的遮蔽が行われるため、圧縮フレーム間の追加の絶縁層が不要となり、絶縁層の材料と処理中の廃水との不適合による以前の故障モードをなくすことができる。
【００９８】
全体として、本システムは、流れ場プレートおよびガス拡散層の除去により、同じレベルの汚染物質除去を達成するのに、低い運転コスト、低いエネルギー消費、低電圧動作を実現するとともに、様々な廃水流量で動作することができる。
【００９９】
２０１７年４月２０日に出願された米国仮特許出願第６２／４８７，８２７号の開示は、その全体が本明細書に援用されるものとする。
【０１００】
本発明の特定の要素、実施形態および用途を開示および説明してきたが、特に上述した教示に鑑みて、本開示の主旨および範囲から逸脱することなく当業者によって変更を加えることができるため、当然のことながら、本発明はそれらに限定されるものではないことを理解されたい。そのような変更は、本明細書に添付される特許請求の範囲内で検討されるべきである
【図１】
2020517420.tif 000013
【図２】
2020517420.tif 000014
【図３】
2020517420.tif 000015
【図４】
2020517420.tif 000016
【図５】
2020517420.tif 000017
【図６】
2020517420.tif 000018
【図７】
2020517420.tif 000019
【図８】
2020517420.tif 000020
【図９】
2020517420.tif 000021
【国際調査報告】
2020517420.tif 000022